(57)【特許請求の範囲】
【請求項１】
電界伝達媒体としての被検者に配置される複数の生体センサにそれぞれ接続される複数の電界通信装置及び所持可能なデータ収集装置を備えた生体情報収集システムであって、
前記電界通信装置は、前記電界伝達媒体としての前記被検者に配置されるものであって、
前記電界通信装置を識別するための電界通信装置識別情報と前記被検者を識別するための個人識別情報とを格納しておく第１格納手段と、
前記生体センサから送信されてきた前記被検者の生体情報を受信する第１受信手段と、
前記電界通信装置識別情報を前記第１格納手段から読み出して、送信電極から前記被検者を介して前記データ収集装置へ電界により送信し、当該電界通信装置の電界通信装置識別情報を電界により受信した後に、前記個人識別情報を前記第１格納手段から読み出して、受信した前記生体情報と共に送信電極から前記被検者を介して前記データ収集装置へ電界により送信する第１送信手段とを有し、
前記データ収集装置は、
送信されてきた前記電界通信装置識別情報と前記生体情報と前記個人識別情報とを、受信電極を介して電界により受信する第２受信手段と、
受信した前記電界通信装置識別情報の衝突の有無を検知し、当該衝突が発生した場合には、当該衝突がなくなるまで前記電界通信装置に対して電界通信装置識別情報の再送を繰り返し要求する要求手段と、
所望する電界通信装置に対して、当該電界通信装置から電界により送信されてきた電界通信装置識別情報を、送信電極から電界により送信する送信手段と、
受信した前記生体情報及び前記個人識別情報を関連付けて格納する第２格納手段と、
を有することを特徴とする生体情報収集システム。
【請求項２】
前記データ収集装置は、前記電界伝達媒体としてのデータ収集者に配置されるものであって、
前記第２受信手段は、前記データ収集者が前記被検者に接触した場合に、前記被検者と前記データ収集者とを介して送信されてきた前記生体情報及び前記個人識別情報を、受信電極を介して受信することを特徴とする請求項１記載の生体情報収集システム。
【請求項３】
前記データ収集装置は、前記被検者に配置されるものであって、
前記被検者が他の電界伝達媒体に接触した場合に、前記生体情報及び前記個人識別情報を前記第２格納手段から読み出して、送信電極から前記被検者を介して前記他の電界伝達媒体へ送信する第２送信手段を更に有することを特徴とする請求項１記載の生体情報収集システム。
【請求項４】
前記電界伝達媒体としてのデータ収集者に配置される別のデータ収集装置を更に備え、
前記別のデータ収集装置は、前記データ収集者が前記被検者に接触した場合に、前記被検者と前記データ収集者とを介して送信されてきた前記生体情報及び前記個人識別情報を、受信電極を介して受信する第３受信手段と、
受信した前記生体情報及び前記個人識別情報を関連付けて格納する第３格納手段と、
を有することを特徴とする請求項３記載の生体情報収集システム。
【請求項５】
通信ネットワークを介してデータ送信可能なデータ通信装置を更に有し、
前記第２送信手段は、前記被検者が前記データ通信装置に接触した場合に、前記生体情報及び前記個人識別情報を送信するものであって、
前記データ通信装置は、
送信されてきた前記生体情報及び前記個人識別情報を、受信電極を介して受信する受信手段と、
受信した前記生体情報及び前記個人識別情報を、前記通信ネットワークを介して送信する送信手段と、
を有することを特徴とする請求項３記載の生体情報収集システム。
【請求項６】
前記第２格納手段は、前記第２受信手段が前記生体情報及び前記個人識別情報を受信したときの受信時刻に関連付けて、前記生体情報及び前記個人識別情報を格納することを特徴とする請求項１乃至５のいずれか１項に記載の生体情報収集システム。
【請求項７】
電界伝達媒体としての被検者に配置される複数の生体センサにそれぞれ接続される複数の電界通信装置及び所持可能なデータ収集装置で処理する生体情報収集方法であって、
前記電界伝達媒体としての前記被検者に配置される前記電界通信装置により、
前記電界通信装置を識別するための電界通信装置識別情報と前記被検者を識別するための個人識別情報とを格納手段に格納しておくステップと、
前記生体センサから送信されてきた前記被検者の生体情報を受信するステップと、
前記電界通信装置識別情報を前記格納手段から読み出して、送信電極から前記被検者を介して前記データ収集装置へ電界により送信し、当該電界通信装置の電界通信装置識別情報を電界により受信した後に、前記個人識別情報を前記格納手段から読み出して、受信した前記生体情報と共に送信電極から前記被検者を介して前記データ収集装置へ電界により送信するステップとを有し、
前記データ収集装置により、
送信されてきた前記電界通信装置識別情報を、受信電極を介して電界により受信するステップと、
受信した前記電界通信装置識別情報の衝突の有無を検知し、当該衝突が発生した場合には、当該衝突がなくなるまで前記電界通信装置に対して電界通信装置識別情報の再送を繰り返し要求するステップと、
所望する電界通信装置に対して、当該電界通信装置から電界により送信されてきた電界通信装置識別情報を、送信電極から電界により送信するステップと、
送信されてきた前記生体情報及び前記個人識別情報を、受信電極を介して電界により受信するステップと、
受信した前記生体情報及び前記個人識別情報を関連付けて格納するステップと、
を有することを特徴とする生体情報収集方法。
【発明の詳細な説明】
【技術分野】
【０００１】
本発明は、電界伝達媒体に誘起される電界を利用して通信を行う電界通信装置を使用して、生体情報を収集する技術に関する。
【背景技術】
【０００２】
従来、医療、福祉、健康産業の分野における患者等の健康状態を把握するために、脈拍、呼吸、心音、心電図、脳波、血圧、血流、体温、発汗、心動態等を計測の対象とする様々な生体センサが利用されていた（非特許文献１参照）。
【０００３】
また、一人暮らしの老人や入院中の患者が、緊急時に管理センタ等へ通知するために、非常用ボタンや押しボタン式の電話が利用されている（非特許文献２参照）。
【非特許文献１】ｈｔｔｐ：／／ｗｗｗ．ｎｉｈｏｎｋｏｈｄｅｎ．ｃｏ．ｊｐ／ｉｒｙｏ／ｐｒｏｄｕｃｔｓ／ｐｈｙｓｉｏ０１＿ｅｃｇ／ｒａｃ３５０２．ｈｔｍｌ
【非特許文献２】ｈｔｔｐ：／／ｗｗｗ．ｎｉｈｏｎｋｏｈｄｅｎ．ｃｏ．ｊｐ／ｉｒｙｏ／ｐｒｏｄｕｃｔｓ／ｅｍｅｒｇｅｎｃｙ／０１／ｗｅｃ４１００．ｈｔｍｌ
【発明の開示】
【発明が解決しようとする課題】
【０００４】
しかしながら、生体センサや非常用ボタン等を利用する場合、老人、患者、看護人のそれぞれに対して煩わしさを与えるという問題がある。
【０００５】
つまり、既存の生体センサは、患者と生体センサとの間が有線であるため、動作範囲の制限による患者への肉体的、精神的負担を与えるという問題がある。更に、他の処理端末への通信機能を有していないため、看護人が生体センサで取得したデータを転記するという手間や誤記入・錯誤が生じるという問題がある。
【０００６】
また、緊急状態を管理センタへ通知するためには、非常用ボタン等を押下することが必要であるため、体力のない老人や患者への体力的な負担を課すという問題がある。更に、電話での状況説明が必要であるため、各々の生体情報を確認する負担を患者に与え、尚且つ説明された生体情報が不正確であるという問題もある。
【０００７】
本発明は、上記を鑑みてなされたものであり、生体センサにより取得した生体情報を確実に収集するとともに、生体センサの利用時における老人や患者への肉体的、精神的負担を軽減することを第１の課題とする。更には、看護人に対する操作上の煩わしさを軽減することを第２の課題とする。
【課題を解決するための手段】
【０００８】
第１の本発明に係る生体情報収集システムは、電界伝達媒体としての被検者に配置される複数の生体センサにそれぞれ接続される複数の電界通信装置及び所持可能なデータ収集装置を備えた生体情報収集システムであって、前記電界通信装置は、前記電界伝達媒体としての前記被検者に配置されるものであって、前記電界通信装置を識別するための電界通信装置識別情報と前記被検者を識別するための個人識別情報とを格納しておく第１格納手段と、前記生体センサから送信されてきた前記被検者の生体情報を受信する第１受信手段と、前記電界通信装置識別情報を前記第１格納手段から読み出して、送信電極から前記被検者を介して前記データ収集装置へ電界により送信し、当該電界通信装置の電界通信装置識別情報を電界により受信した後に、前記個人識別情報を前記第１格納手段から読み出して、受信した前記生体情報と共に送信電極から前記被検者を介して前記データ収集装置へ電界により送信する第１送信手段とを有し、前記データ収集装置は、送信されてきた前記電界通信装置識別情報と前記生体情報と前記個人識別情報とを、受信電極を介して電界により受信する第２受信手段と、受信した前記電界通信装置識別情報の衝突の有無を検知し、当該衝突が発生した場合には、当該衝突がなくなるまで前記電界通信装置に対して電界通信装置識別情報の再送を繰り返し要求する要求手段と、所望する電界通信装置に対して、当該電界通信装置から電界により送信されてきた電界通信装置識別情報を、送信電極から電界により送信する送信手段と、受信した前記生体情報及び前記個人識別情報を関連付けて格納する第２格納手段と、を有することを特徴とする。
【０００９】
本発明にあっては、被検者の生体情報を電界伝達媒体である被検者を介してデータ収集装置へ送信することで、被検者への動作範囲の制限による肉体的、精神的負担を防ぐことができる。
【００１０】
上記生体情報収集システムにおいて、前記データ収集装置は、前記電界伝達媒体としてのデータ収集者に配置されるものであって、前記第２受信手段は、前記データ収集者が前記被検者に接触した場合に、前記被検者と前記データ収集者とを介して送信されてきた前記生体情報及び前記個人識別情報を、受信電極を介して受信することを特徴とする。
【００１１】
本発明にあっては、データ収集装置を配置しているデータ収集者が、生体センサに接続された電界通信装置を配置している被検者に接触することにより、生体情報をデータ収集装置に格納するので、データ収集者による生体情報の転記に要する手間や誤記入・錯誤という問題の発生を防ぐことができる。
【００１２】
上記生体情報収集システムにおいて、前記データ収集装置は、前記被検者に配置されるものであって、前記被検者が他の電界伝達媒体に接触した場合に、前記生体情報及び前記個人識別情報を前記第２格納手段から読み出して、送信電極から前記被検者を介して前記他の電界伝達媒体へ送信する第２送信手段を更に有することを特徴とする。
【００１３】
本発明にあっては、生体センサに接続された電界通信装置のみではなく、データ収集装置についても被検者に配置されるので、被検者の生体情報を継続的にデータ収集装置へ格納することができる。更に、データ収集装置に格納された生体情報を、他の媒体への接触により送信することで、生体センサや情報収集端末等の操作から被検者を解放することができる。
【００１４】
上記生体情報収集システムにおいて、前記電界伝達媒体としてのデータ収集者に配置される別のデータ収集装置を更に備え、前記別のデータ収集装置は、前記データ収集者が前記被検者に接触した場合に、前記被検者と前記データ収集者とを介して送信されてきた前記生体情報及び前記個人識別情報を、受信電極を介して受信する第３受信手段と、受信した前記生体情報及び前記個人識別情報を関連付けて格納する第３格納手段と、を有することを特徴とする。
【００１５】
本発明にあっては、データ収集者が被検者へ接触した場合に、被検者のデータ収集装置に継続的に格納された生体情報をデータ収集者のデータ収集装置で収集することができるので、データ収集者である看護人による被検者である患者への定期検査を省略することができ、看護人への負担の削減や誤措置の防止をすることができる。また、対象とする全被検者の生体情報を、一箇所で管理することが可能である。
【００１６】
上記生体情報収集システムにおいて、通信ネットワークを介してデータ送信可能なデータ通信装置を更に有し、前記第２送信手段は、前記被検者が前記データ通信装置に接触した場合に、前記生体情報及び前記個人識別情報を送信するものであって、前記データ通信装置は、送信されてきた前記生体情報及び前記個人識別情報を、受信電極を介して受信する受信手段と、受信した前記生体情報及び前記個人識別情報を、前記通信ネットワークを介して送信する送信手段と、を有することを特徴とする。
【００１７】
本発明にあっては、データ通信装置への接触により、データ収集装置に格納されている生体情報を管理センタへ自動送信することで、パソコン等を使用する必要がなく、また、緊急状況下における被検者による非常用ボタンの押下や電話での状況説明という煩わしさを削減することや、正確な状況を伝えることができる。また、通知を受けた管理センタは、生体情報の受信に伴うシルバーホンの起動や、更には、被検者の生体情報を自動で収集し、収集した内容に基づいて被検者の状況把握、電話対応、救急配備等の適切な措置を迅速に行うことが可能である。
【００１８】
上記生体情報収集システムにおいて、前記第２格納手段は、前記第２受信手段が前記生体情報及び前記個人識別情報を受信したときの受信時刻に関連付けて、前記生体情報及び前記個人識別情報を格納することを特徴とする。
【００１９】
本発明にあっては、前記生体情報及び前記個人識別情報を受信した時刻についてもデータ収集装置で格納することで、被検者の生体情報を時系列順に把握することが可能である。
【００２０】
第２の本発明に係る生体情報収集方法は、電界伝達媒体としての被検者に配置される複数の生体センサにそれぞれ接続される複数の電界通信装置及び所持可能なデータ収集装置で処理する生体情報収集方法であって、前記電界伝達媒体としての前記被検者に配置される前記電界通信装置により、前記電界通信装置を識別するための電界通信装置識別情報と前記被検者を識別するための個人識別情報とを格納手段に格納しておくステップと、前記生体センサから送信されてきた前記被検者の生体情報を受信するステップと、前記電界通信装置識別情報を前記格納手段から読み出して、送信電極から前記被検者を介して前記データ収集装置へ電界により送信し、当該電界通信装置の電界通信装置識別情報を電界により受信した後に、前記個人識別情報を前記格納手段から読み出して、受信した前記生体情報と共に送信電極から前記被検者を介して前記データ収集装置へ電界により送信するステップとを有し、前記データ収集装置により、送信されてきた前記電界通信装置識別情報を、受信電極を介して電界により受信するステップと、受信した前記電界通信装置識別情報の衝突の有無を検知し、当該衝突が発生した場合には、当該衝突がなくなるまで前記電界通信装置に対して電界通信装置識別情報の再送を繰り返し要求するステップと、所望する電界通信装置に対して、当該電界通信装置から電界により送信されてきた電界通信装置識別情報を、送信電極から電界により送信するステップと、送信されてきた前記生体情報及び前記個人識別情報を、受信電極を介して電界により受信するステップと、受信した前記生体情報及び前記個人識別情報を関連付けて格納するステップと、を有することを特徴とする。
【発明の効果】
【００２４】
本発明によれば、生体センサにより取得した生体情報を確実に収集するとともに、生体センサの利用時における老人や患者への肉体的、精神的負担を軽減することができる。更には、看護人に対する操作上の煩わしさを軽減することができる。
【発明を実施するための最良の形態】
【００２５】
以下、本発明の実施の形態について図面を用いて説明する。
【００２６】
［第１の実施の形態］
図１は、本発明の第１の実施形態に係る生体情報収集システムの概略的な構成を示す模式図である。図１に示すように、被検者７に配置されている生体センサは、脳波計４ａ、血圧計４ｂ、心拍計４ｃ、心電計４ｄ、体温計４ｅ、発汗計４ｆ、モーションセンサ４ｇ、圧力計４ｈ（以下、纏めて「生体センサ４」と称する）、といった複数の生体センサ４から構成されている。また、本生体情報収集システムは、被検者７に配置される生体センサ４、と生体センサ４に接続される電界通信装置１、及びデータ収集者８に配置されるデータ収集装置２を有する構成である。
【００２７】
次に、電界通信装置１について説明する。
【００２８】
まず、電界通信装置１の構成について、図２のブロック図を用いて説明する。電界通信装置１は、情報処理を行う処理部１１、生体センサ４から送信される生体情報８０を受信する受信部１２、個人識別情報８１を格納する格納部１３、及び電界を電界伝達媒体としての被検者７に誘起する通信回路１５と電極１６とを有する構成である。また、電界通信装置１は、電界伝達媒体としての被検者７に配置されるものであって、被検者７を識別することが可能な個人識別情報８１を格納部１３に格納しておく。
【００２９】
続いて、電界通信装置１の動作について説明する。電界通信装置１は、受信部１２により生体センサ４から送信されてきた被検者７の生体情報８０を受信し、処理部１１により個人識別情報８１を格納部１３から読み出して、通信回路１５により電極１６から電界を電界通信装置１を配置している被検者７に誘起し、生体情報８０及び個人識別情報８１を電極１６から被検者７に送信する。尚、通信回路１５の構成及び動作については後述する。
【００３０】
次に、データ収集装置２について説明する。
【００３１】
まず、データ収集装置２の構成について、図３のブロック図を用いて説明する。データ収集装置２は、情報処理を行う処理部２１、電界通信装置１から送信されてきた生体情報８０及び個人識別情報８１を格納する格納部２３、及び電界を電界伝達媒体としてのデータ収集者８に誘起する通信回路２５と電極２６とを有する構成である。
【００３２】
続いて、データ収集装置２の動作について説明する。データ収集装置２は、電界伝達媒体としてのデータ収集者８に配置されるものであって、データ収集者８が電界通信装置１を配置している被検者７に接触した場合に、電界通信装置１から送信される生体情報８０及び個人識別情報８１を、被検者７とデータ収集者８とを介して通信回路２５により電極２６で受信する。その後、受信した生体情報８０及び個人識別情報８１を処理部２１により格納部２３へ格納する。
【００３３】
次に、電界通信装置１における通信回路１５、及びデータ収集装置２における通信回路２５の構成及び動作について説明する。
【００３４】
図４は、通信回路１５及び通信回路２５の共通の構成を示すブロック図である。以下、通信回路１５を例に説明する。
【００３５】
図４に示すように、処理部１１と電極１６との間を接続する通信回路１５は、インタフェース５０を介して処理部１１に接続される。通信回路１５は、この処理部１１からインタフェース５０を介して他の電界通信装置に送信するための送信データを受け取ると、レベル調整回路５１で送信データの信号振幅を調整してから、送信回路５２を介して送信電極１６ａに供給するようになっている。
【００３６】
送信電極１６ａは、送信回路５２から送信データが供給されると、この送信データに対応する電界を電界伝達媒体１００に誘起する。この誘起された電界は、電界伝達媒体１００を伝達して、他の電界通信装置の受信電極１６ｂで受信される。受信された電界は、一般に微弱でありまた多くの雑音信号を含んでいるため、増幅及びノイズを除去して波形の整形をした後、処理部１１に送信される。
【００３７】
受信された電界の増幅は、電気的方法又は光学的方法によって行われる。電気的方法は、周知の増幅回路を用いることができ簡便であるが、応答速度に限界がある。図４は、応答速度の速い光学的方法の構成例を示す。電界検出光学部５３は、受信電極１６ｂで受信した電界が供給され、電界光学手法を利用した電界検出光学部５３内で別途発生するレーザ光を偏光変化させ、この偏光変化したレーザ光を受光回路５４で電気信号に変換する。この電気信号は、バンドパスフィルタ５５での帯域制限により不要な雑音が除去され、更に波形整形回路５６で波形が整形されてから、インタフェース５０を介して処理部１１に供給されるようになっている。
【００３８】
なお、送信電極１６ａと受信電極１６ｂは、一体化して１つの電極１６で各電極を構成してもよいものである。
【００３９】
次に、図１乃至図３及び図５を参照し、本実施形態に係る電界通信制御システムの全体的な動作について説明する。
【００４０】
電界通信装置１は、被検者７に配置されるものであって、予め、個人識別情報８１を格納部１３に格納しておく。また、電界通信装置１は、生体センサ４から送信されてきた被検者７の生体情報８０を受信し、処理部１１により個人識別情報８１を格納部１３から読み出して、受信した生体情報８０と共に電極１６から被検者７へ電界により送信する。
【００４１】
データ収集装置２は、データ収集者８が電界通信装置１を配置している被検者７に接触した場合に、処理部２１により、電界通信装置１から送信される生体情報８０及び個人識別情報８１を、被検者７とデータ収集者８とを介して通信回路２５により電極２６で受信する。その後、受信した生体情報８０及び個人識別情報８１を処理部２１により格納部２３へ格納する。
【００４２】
本実施形態によれば、被検者７の生体情報８０を電界伝達媒体である被検者７を介してデータ収集装置２へ送信することで、被検者７への動作範囲の制限による肉体的、精神的負担を防ぐことができる。更に、データ収集装置２を配置しているデータ収集者８が、生体センサ４に接続された電界通信装置１を配置している被検者７に接触することにより、生体情報８０をデータ収集装置２に格納するので、データ収集者８による生体情報８０の転記に要する手間や誤記入・錯誤という問題の発生を防ぐことができる。
【００４３】
更に、データ収集装置２は、処理部２１により、電界通信装置１から送信されてきた生体情報８０及び個人識別情報８１を受信したときの受信時刻についても、生体情報８０及び個人識別情報８１に関連付けて格納部２３に格納することが可能である。
【００４４】
本実施形態によれば、データ収集装置２が生体情報８０及び個人識別情報８１を受信した時刻についてもデータ収集装置２において格納することで、被検者７の生体情報８０を時系列順に把握することが可能である。
【００４５】
図６は、複数の生体センサ４を有する場合の電界通信装置１とデータ収集装置２とのシーケンス図である。図２、図３、図５及び図６を参照し、複数の生体センサを有する場合の本実施形態に係る電界通信制御システムの全体的な動作について説明する。
【００４６】
電界通信装置１は、被検者７に配置されるものであって、予め、個人識別情報８１及び電界通信装置識別情報８２を格納部１３に格納しておく。
【００４７】
データ収集装置２は、データ収集者８が電界通信装置１を配置している被検者７に接触した場合に、処理部２１により、電界通信装置１を起動するための信号を、電極２６から被検者７に配置されている全ての電界通信装置１へ電界により送信する。
【００４８】
電界通信装置１は、データ収集装置２から送信されてきた当該信号を、被検者７とデータ収集者８とを介して通信回路１５により電極１６で受信する。その後、電界通信装置１は、処理部１１により、電界通信装置識別情報８２を格納部１３から読み出して、電極１６からデータ収集装置２へ電界により送信する。この場合、全ての電界通信装置１が一斉に送信を開始すると、信号の衝突が発生しデータ収集装置２の電極２６に正しい信号電界が誘起されない。この問題は、電界通信装置１とデータ収集装置２にアンチコリジョン対策を施すことにより回避することができる。例えば、電界通信装置１は、送信の開始時間をランダムにずらした電界通信装置識別情報８２を送信することにより、衝突の確率を低減することができる。また、データ収集装置２は当該信号の衝突の有無を検知する機能を有し、衝突が発生した場合は、電界通信装置１に対し当該信号の再送を要求して、改めて電界通信装置識別情報８２を受信する。この動作を衝突がなくなるまで繰り返すことにより、全ての電界通信装置１の電界通信装置識別情報８２を取得することができる。図６の処理ブロック８３は、上述したアンチコリジョン対策を含む電界通信装置識別情報８２の取得処理ブロックを示す。
【００４９】
データ収集装置２は、電界通信装置１から送信されてきた電界通信装置識別情報８２を、通信回路２５により電極２６で受信する。その後、データ収集装置２は、受信した複数の電界通信装置識別情報８２のうち、データ収集者８の所望する電界通信装置１に対して、当該電界通信装置１から送信されてきた電界通信装置識別情報８２を、電極２６から当該電界通信装置１へ電界により送信する。
【００５０】
当該電界通信装置１は、データ収集装置２から送信されてきた電界通信装置識別情報８２を、通信回路１５により電極１６で受信する。その後、電界通信装置１は、処理部１１により個人識別情報８１を格納部１３から読み出して、生体センサ４から受信した生体情報８０と共に電極１６からデータ収集装置２へ電界により送信する。
【００５１】
データ収集装置２における以降の動作は、図１乃至図３で説明した動作と同一であるので、ここでは省略する。
【００５２】
本実施形態によれば、データ収集装置２が被検者７に配置されている複数の電界通信装置１から所望する電界通信装置１を選択することができるので、データ収集者８が必要とする生体センサ４の生体情報８０をデータ収集装置２に格納することができる。
【００５３】
［第２の実施の形態］
図７は、本発明の第２の実施形態に係る生体情報収集システムの構成を示す模式図である。図７に示すように、本生体情報収集システムは、被検者７に配置される生体センサ４と電界通信装置１とデータ収集装置２ａ、及びデータ収集者８に配置されるデータ収集装置２ｂを有する構成である。第１の実施形態との相違は、被検者７に配置されるデータ収集装置２ａを新たに設けた点にある。
【００５４】
電界通信装置１とデータ収集装置２ａ及びデータ収集装置２ｂの基本的な構成及び動作については、第１の実施形態で説明した電界通信装置１とデータ収集装置２と同様であり、ここでは説明を省略する。
【００５５】
次に、図７を参照し、本実施形態に係る電界通信制御システムの全体的な動作について説明する。
【００５６】
電界通信装置１は、被検者７に配置されるものであって、予め、個人識別情報８１を格納部１３に格納しておく。また、電界通信装置１は、生体センサ４から送信されてきた被検者７の生体情報８０を受信し、処理部１１により個人識別情報８１を格納部１３から読み出して、受信した生体情報８０と共に電極１６から被検者７へ電界により送信する。
【００５７】
被検者７に配置されたデータ収集装置２ａは、処理部２１により、電界通信装置１から送信される生体情報８０及び個人識別情報８１を、被検者７を介して通信回路２５により電極２６で受信する。その後、受信した生体情報８０及び個人識別情報８１を処理部２１により格納部２３へ格納する。
【００５８】
データ収集装置２ａは、データ収集者８がデータ収集装置２ａを配置している被検者７に接触した場合に、処理部２１により生体情報８０及び個人識別情報８１を格納部２３から読み出して、電極２６からデータ収集者８へ電界により送信する。
【００５９】
データ収集装置２ｂは、処理部２１により、データ収集装置２ａから送信される生体情報８０及び個人識別情報８１を、被検者７とデータ収集者８とを介して通信回路２５により電極２６で受信する。その後、受信した生体情報８０及び個人識別情報８１を処理部２１により格納部２３へ格納する。
【００６０】
本実施形態によれば、生体センサ４に接続された電界通信装置１のみではなく、データ収集装置２ａについても被検者７に配置されるので、被検者７の生体情報８０を継続的にデータ収集装置２ａへ格納することができる。更に、データ収集装置２ａに格納された生体情報８０を、他の媒体への接触により送信することで、生体センサ４や情報収集端末等の操作から被検者７を解放することができる。また、データ収集者８が被検者７へ接触した場合に、被検者７のデータ収集装置２ａに継続的に格納された生体情報８０をデータ収集者８のデータ収集装置２ｂで収集することで、データ収集者８である看護人による被検者７である患者への定期検査を省略することができ、看護人への負担の削減や誤措置の防止をすることができる。また、対象とする全ての被検者７の生体情報８０を、一箇所で管理することが可能である。
【００６１】
［第３の実施の形態］
図８は、本発明の第３の実施形態に係る生体情報収集システムの概略的な構成を示す模式図である。図８に示すように、本生体情報収集システムは、被検者７に配置される生体センサ４と電界通信装置１とデータ収集装置２、通信ネットワーク６に接続されたデータ通信装置３と管理センタ５を有する構成である。
【００６２】
通信ネットワーク６としては、例えば、イーサネット（登録商標）、トークンリング、無線ＬＡＮ（Ｌｏｃａｌ  Ａｒｅａ  Ｎｅｔｗｏｒｋ）、インターネットや公衆回線網等を利用することができる。
【００６３】
電界通信装置１とデータ収集装置２の構成及び動作については、第１の実施形態で説明したものと同一であり、ここでは説明を省略する。
【００６４】
次に、データ通信装置３について説明する。
【００６５】
まず、データ通信装置３の構成について、図９のブロック図を用いて説明する。データ通信装置３は、情報処理を行う処理部３１、データ収集装置２から送信される生体情報８０及び個人識別情報８１を送信する送信部３４、及び電界を電界伝達媒体としての被検者７に誘起する通信回路３５と電極３６とを有する構成である。
【００６６】
続いて、データ通信装置３の動作について説明する。データ通信装置３は、電界通信装置１及びデータ収集装置２を配置している被検者７がデータ通信装置３に接触した場合に、データ収集装置２から送信される生体情報８０及び個人識別情報８１を、被検者７を介して通信回路３５により電極３６で受信する。その後、受信した生体情報８０及び個人識別情報８１を送信部３４により通信ネットワーク６を介して管理センタ５へ送信する。尚、通信回路３５の構成及び動作については、図４を用いて説明したものと同一であり、ここでは説明を省略する。
【００６７】
次に、図１０を参照し、本実施形態に係る電界通信制御システムの全体的な動作について説明する。
【００６８】
電界通信装置１は、被検者７に配置されるものであって、予め、個人識別情報８１を格納部１３に格納しておく。また、電界通信装置１は、生体センサ４から送信されてきた被検者７の生体情報８０を受信し、処理部１１により個人識別情報８１を格納部１３から読み出して、受信した生体情報８０と共に電極１６から被検者７へ電界により送信する。
【００６９】
被検者７に配置されたデータ収集装置２は、処理部２１により、電界通信装置１から送信される生体情報８０及び個人識別情報８１を、被検者７を介して通信回路２５により電極２６で受信する。その後、受信した生体情報８０及び個人識別情報８１を処理部２１により格納部２３へ格納する。
【００７０】
データ収集装置２は、データ収集装置２を配置している被検者７がデータ通信装置３に接触した場合に、処理部２１により生体情報８０及び個人識別情報８１を格納部２３から読み出して、電極２６からデータ通信装置３へ電界により送信する。
【００７１】
データ通信装置３は、処理部３１により、データ収集装置２から送信される生体情報８０及び個人識別情報８１を、被検者７を介して通信回路３５により電極３６で受信する。その後、受信した生体情報８０及び個人識別情報８１を送信部３４により通信ネットワーク６を介して管理センタ５へ送信する。
【００７２】
本実施形態によれば、データ通信装置３への接触により、データ収集装置２に格納されている生体情報８０を管理センタ５へ自動送信することで、パソコン等を使用する必要がなく、また、緊急状況下における被検者７による非常用ボタンの押下や電話での状況説明という煩わしさを削減することや、正確な状況を伝えることができる。また、通知を受けた管理センタ５は、生体情報８０の受信に伴うシルバーホンの起動や、更には、被検者７の生体情報８０を自動で収集し、収集した内容に基づいて被検者７の状況把握、電話対応、救急配備等の適切な措置を迅速に行うことが可能である。
【００７３】
第１乃至第３のいずれの実施形態についても、電界通信装置１、データ収集装置２、及びデータ通信装置３について、パスワード認証機能や生体情報を利用した認証機能を有する構成とすることが可能である。更に、生体情報８０及び個人識別情報８１の暗号化や電子署名の機能を有する構成とすることも可能である。また、暗号化を行うための共通鍵を、チャレンジレスポンス等の方式で確認する機能を有することも可能である。
【図面の簡単な説明】
【００７４】
【図１】第１の実施形態に係る生体情報収集システムの概略的な構成を示す模式図である。
【図２】電界通信装置の構成を示すブロック図である。
【図３】データ収集装置の構成を示すブロック図である。
【図４】通信回路の構成を示すブロック図である。
【図５】第１の実施形態に係る生体情報収集システムの全体的な動作を説明するための構成を示す模式図である。
【図６】第１の実施形態に係るシステムにおいて複数の生体センサを有する場合に電界通信装置とデータ収集装置とで行う処理を示すシーケンス図である。
【図７】第２の実施形態に係る生体情報収集システムの全体的な動作を説明するための構成を示す模式図である。
【図８】第３の実施形態に係る生体情報収集システムの概略的な構成を示す模式図である。
【図９】データ通信装置の構成を示すブロック図である。
【図１０】第３の実施形態に係る生体情報収集システムの全体的な動作を説明するための構成を示す模式図である。
【符号の説明】
【００７５】
１…電界通信装置
２，２ａ，２ｂ…データ収集装置
３…データ通信装置
４…生体センサ
５…管理センタ
６…通信ネットワーク
７…被検者
８…データ収集者
１１，２１，３１…処理部
１２…受信部
１３，２３…格納部
１５，２５，３５…通信回路
１６，２６，３６…電極
１６ａ…送信電極
１６ｂ…受信電極
３４…送信部
５０…インタフェース
５１…レベル調整回路
５２…送信回路
５３…電界検出光学部
５４…受光回路
５５…バンドパスフィルタ
５６…波形整形回路
８０…生体情報
８１…個人識別情報
８２…電界通信装置識別情報
８３…処理ブロック
１００…電界伝達媒体
【図１】
0004657125.tif 000002
【図２】
0004657125.tif 000003
【図３】
0004657125.tif 000004
【図４】
0004657125.tif 000005
【図５】
0004657125.tif 000006
【図６】
0004657125.tif 000007
【図７】
0004657125.tif 000008
【図８】
0004657125.tif 000009
【図９】
0004657125.tif 000010
【図１０】
0004657125.tif 000011